(57)【特許請求の範囲】
【請求項１】
建設構造物に配設される鉄骨（１２）の余部の端部を切断する切断機（１１）であって、
前記鉄骨（１２）の端部近傍におけるフランジ（１３）の両方の縁部（１３ａ）をそれぞれ挟持して着脱自在に取り付ける取付部（１４）と、
該取付部（１４）にボルト（２９）で固定される一対の支柱（１５）と、
該一対の支柱（１５）の先端部間を横架した状態でボルト（３１）で固定される支持プレート（１６）と、
該支持プレート（１６）の両端部（１６ａ）から延設する一対の移動用レール（１７）と、
該移動用レール（１７）の先端部（１７ａ）同士に渡って横架する枠部（１８）と、
前記移動用レール（１７）に沿って移動可能なガイド部（１９）と、
該ガイド部（１９）に連設されると共に中央部に前記鉄骨（１２）の端部を通過するための開口部（３３）を有する基板（２０）と、
該基板（２０）に設けられる駆動モータ（２１）と、
該駆動モータ（２１）の駆動に連動して駆動すると共に前記基板（２０）に設けられる駆動ローラ（２２）と、
該駆動ローラ（２２）と相対して前記基板（２０）に設けられる複数の従動ローラ（２３）と、
該従動ローラ（２３）と前記駆動ローラ（２２）とで回転する回転カッター（２４）と、から少なくとも構成され、
前記取付部（１４）は、前記支柱（１５）の下部にボルト（２９）で固定される側板（２８）と、該側板（２８）にボルト（３０）で固定されて前記一対の支柱（１５）に渡って横架され且つ前記フランジ（１３）に当接させるための２本の取付ロッド（２５）と、該取付ロッド（２５）と対向して且つ適宜間隔を開けて設けられ前記フランジ（１３）を挟持するための一対の取付板（２６）と、該取付板（２６）に螺着されて前記フランジ（１３）を押圧するための取付ボルト（２７）とからなること
を特徴とする切断機（１１）。
【請求項２】
前記移動用レール（１７）は、円柱状に形成され、前記ガイド部（１９）は、前記移動用レール（１７）に挿通する筒状部を備えること
を特徴とする請求項１に記載の切断機。
【請求項３】
前記移動用レール（１７）には、前記ガイド部（１９）の移動を阻止するストッパー（３２）を備えること
を特徴とする請求項１に記載の切断機。
【発明の詳細な説明】
【技術分野】
【０００１】
本発明は、切断機に関するものであり、更に詳しくは、鉄骨構造等の建設物に配設されるＨ形鋼の余部の端部を、バーナーを使用することなく簡単かつ安全に切断することができる切断機に関するものである。
【背景技術】
【０００２】
従来の切断機としては、例えば図７に示す構成のものが知られている。この鉄骨用の切断機１は、クレーンのフック２で吊り下げる本体フレーム３と、この本体フレーム３の下部に設けられて鉄骨４のフランジ４ａを保持するクランプ５と、本体フレーム３の両端部に伸縮可能に設けられるスライドフレーム６と、このスライドフレーム６に沿って水平移動が可能な走行レール７と、この走行レール７に沿って垂直移動が可能な切断用バーナー８とから構成される（特許文献１参照）。
【０００３】
このような構成の切断機１は、クレーンのフック２で吊り下げて所定の鉄骨位置に設置し、クランプ５でフランジ４ａを保持して、スライドフレーム６を伸長させてから、走行レール７を所定位置に水平移動させ、切断用バーナー８を垂直移動させて所望位置の切断を行うのである。
【先行技術文献】
【特許文献】
【０００４】
【特許文献１】特開２００７−１４６５７１号公報
【発明の概要】
【発明が解決しようとする課題】
【０００５】
この従来例の鉄骨用の切断機１においては、装置が大掛かりで、設置するのにクレーンが必要である。従って、設置や操作が厄介で迅速な作業が困難であるという問題点を有している。特に、建設物に配設されるＨ形鋼の端部を切断する作業を行うのは、切断機１の構造上不向きである。
【０００６】
また、鉄骨の切断には切断用バーナー８を使用しているので火災の危険性があり、また、当該切断用バーナー８にガスを供給するためのガスボンベを備えるので安全上の問題点も有している。
【０００７】
従って、従来例における鉄骨用の切断機１においては、設置や操作を簡単に行えるようにすることと、建設物に配設されるＨ形鋼の端部を簡単かつ安全に切断にできるようにすることと、火気使用による安全上の問題点を解消することとに解決しなければならない課題を有している。
【課題を解決するための手段】
【０００８】
前記従来例の課題を解決するための本発明の要旨は、建設構造物に配設される鉄骨（１２）の余部の端部を切断する切断機（１１）であって、前記鉄骨（１２）の端部近傍におけるフランジ（１３）の両方の縁部（１３ａ）をそれぞれ挟持して着脱自在に取り付ける取付部（１４）と、該取付部（１４）にボルト（２９）で固定される一対の支柱（１５）と、該一対の支柱（１５）の先端部間を横架した状態でボルト（３１）で固定される支持プレート（１６）と、該支持プレート（１６）の両端部（１６ａ）から延設する一対の移動用レール（１７）と、該移動用レール（１７）の先端部（１７ａ）同士に渡って横架する枠部（１８）と、前記移動用レール（１７）に沿って移動可能なガイド部（１９）と、該ガイド部（１９）に連設されると共に中央部に前記鉄骨（１２）の端部を通過するための開口部（３３）を有する基板（２０）と、該基板（２０）に設けられる駆動モータ（２１）と、該駆動モータ（２１）の駆動に連動して駆動すると共に前記基板（２０）に設けられる駆動ローラ（２２）と、該駆動ローラ（２２）と相対して前記基板（２０）に設けられる複数の従動ローラ（２３）と、該従動ローラ（２３）と前記駆動ローラ（２２）とで回転する回転カッター（２４）と、から少なくとも構成され、前記取付部（１４）は、前記支柱（１５）の下部にボルト（２９）で固定される側板（２８）と、該側板（２８）にボルト（３０）で固定されて前記一対の支柱（１５）に渡って横架され且つ前記フランジ（１３）に当接させるための２本の取付ロッド（２５）と、該取付ロッド（２５）と対向して且つ適宜間隔を開けて設けられ前記フランジ（１３）を挟持するための一対の取付板（２６）と、該取付板（２６）に螺着されて前記フランジ（１３）を押圧するための取付ボルト（２７）とからなることである。
【０００９】
また、前記移動用レール（１７）は、円柱状に形成され、前記ガイド部（１９）は、前記移動用レール（１７）に挿通する筒状部を備えること；
前記移動用レール（１７）には、前記ガイド部（１９）の移動を阻止するストッパー（３２）を備えること；
を含むものである。
【発明の効果】
【００１０】
本発明に係る切断機によれば、取付部で鉄骨のフランジを挟持してから、駆動モータを駆動して回転カッターを回転させ、基板を鉄骨方向に手で押圧することで、鉄骨の余部の端部を簡単かつ安全に切断することができる。
また、切断機の鉄骨への取り付けが容易に行え、切断作業が極めて簡単である。
さらに、従来例のようにバーナーを使用しないので、火災や火傷の危険が無く、安全性が高い。
特に、取付部は、支柱の下部にボルトで固定される側板と、側板にボルトで固定されて一対の支柱に渡って横架され且つフランジに当接させるための２本の取付ロッドと、取付ロッドと対向して且つ適宜間隔を開けて設けられフランジを挟持するための一対の取付板と、取付板に螺着されてフランジを押圧するための取付ボルトとからなることによって、フランジを取付ロッドと取付板との間に挟持してから、取付ボルトを螺入してフランジを押圧することで、鉄骨に取付部をシッカリと仮固定することができるという種々の優れた効果を奏する。
【００１２】
移動用レールは、円柱状に形成され、ガイド部は、移動用レールが挿通する筒状部を備えることによって、移動用レールに沿ってガイド部がスムーズに移動できるという優れた効果を奏する。
【００１３】
移動用レールには、ガイド部の移動を阻止するストッパーを備えることによって、意に反して基板が動かないので、安全性が向上するという優れた効果を奏する。
【図面の簡単な説明】
【００１４】
【図１】本発明に係る切断機１１の正面図である。
【図２】本発明に係る切断機１１の正面図である。
【図３】本発明に係る切断機１１の平面図である。
【図４】本発明に係る切断機１１の側面図である。
【図５】本発明に係る切断機１１の側面図である。
【図６】本発明に係る切断機１１の側面図である。
【図７】従来例に係る切断機１の正面図である。
【発明を実施するための形態】
【００１５】
次に、本発明の実施の形態について図面を参照しながら説明する。まず、図１から図６において、符号１１は切断機を示し、この切断機１１は、鉄骨１２の端部近傍におけるフランジ１３の両方の縁部１３ａをそれぞれ挟持する取付部１４と、取付部１４に一対の支柱１５を介して設ける支持プレート１６と、支持プレート１６の両端部１６ａから延設する一対の移動用レール１７と、移動用レール１７の先端部１７ａ同士に渡って横架する枠部１８と、移動用レール１７に沿って移動可能なガイド部１９と、ガイド部１９に連設される基板２０と、基板２０に設けられる駆動モータ２１と、駆動モータ２１の駆動に連動して駆動すると共に基板２０に設けられる駆動ローラ２２と、駆動ローラ２２と相対して基板２０に設けられる複数の従動ローラ２３と、従動ローラ２３と駆動ローラ２２とで回転する回転カッター２４とから構成される。
【００１６】
切断機１１は、建設構造物に配設される鉄骨１２の余部の端部を切断するものであり、鉄骨１２は、例えばＨ形鋼等である。
【００１７】
取付部１４は、支柱１５の下部に取り付けられる側板２８と、側板２８に取り付けられて前記一対の支柱１５に沿って横架される２本の取付ロッド２５と、取付ロッド２５と適宜間隔を開けて設けられる一対の取付板２６と、取付板２６に螺着される取付ボルト２７とからなる。
【００１８】
両方の支柱１５の下部には、それぞれ側板２８がボルト２９で固定されている。この側板２８同士の間に２本の取付ロッド２５がそれぞれボルト３０で固定されて、この取付ロッド２５が一対の支柱１５に沿って横架されて位置する（図３及び図４参照）。この取付ロッド２５は、フランジ１３を当接させる部位である（図３参照）。
【００１９】
また、側板２８には、取付板２６が取付ロッド２５と対向して且つ適宜間隔を開けて設けられており、この取付板２６と取付ロッド２５との間にフランジ１３を挟持するのである（図３及び図４参照）。
【００２０】
取付板２６には、取付ボルト２７が螺着されており、取付ボルト２６を螺入してフランジ１３を押圧することができるようになっている（図３参照）。
【００２１】
このような構成の取付部１４は、取付ロッド２５と取付板２６との間にフランジ１３を挟持してから、取付ボルト２６を螺入してフランジ１３を押圧することによって、鉄骨１２に取付部１４をシッカリと仮固定することができる（図３参照）。
【００２２】
支持プレート１６は、両方の支柱１５の先端部を横架した状態で設けられており、ボルト３１で固定されている（図１及び図２参照）。
【００２３】
移動用レール１７は、所定長さで円柱状に形成されており、図３に示すように、支持プレート１６の両端部１６ａから延設している。また、移動用レール１７は、先端部１７ａ同士に渡って枠部１８が横架している（図３参照）。
【００２４】
また、移動用レール１７は、図３に示すように、ピン形状のストッパー３２が貫通した状態で取外し自在に設けられている。このストッパー３２の存在によって、ガイド部１９の移動が阻止されて、基板２０が意に反して動かないので、安全性が向上する。
【００２５】
ガイド部１９は、移動用レール１７を囲繞するように筒状に形成されており、このガイド部１９が、移動用レール１７に沿って摺動してスムーズな移動ができるようになっている。
【００２６】
基板２０は、所定大きさの板状に形成されており、この基板２０の両側部２０ａが、図３及び図４に示すように、ガイド部１９に接続しており、このガイド部１９の移動と共に移動する仕組みになっている。また、基板２０の中央部には、鉄骨１２の端部を通過するための略長方形状の開口部３３が形成されている（図１及び図２参照）。
【００２７】
駆動モータ２１は、基板２０に設けられており、図示しないＯＮ／ＯＦＦスイッチによって駆動と停止の操作がなされる。
【００２８】
駆動ローラ２２は、駆動モータ２１の駆動に連動して駆動する仕組みになっており、基板２０に設けられる。また、駆動ローラ２２は、従動ローラ２３よりも大径に形成されたプーリからなり、当該従動ローラ２３と伝動すべく回転式の回転カッター２４が掛け回されている。
【００２９】
従動ローラ２３は、駆動ローラ２２と相対して基板２０に３個設けられる。そして、従動ローラ２０は、基板２０の上部に２箇所と、下端側の隅とに設けられたプーリからなり、鉄骨１２の端部のフランジ１３に対して回転カッター２４が直交するように配設されている。
【００３０】
回転カッター２４は、ワイヤー式の回転式カッター、例えばワイヤソーからなり、駆動ローラ２２と従動ローラ２３とを介して高速に回転される。また、回転カッター２４は、通常は図示しないカバーで覆われている。
【００３１】
以上のように構成される切断機１１は、建設構造物に縦方向、横方向あるいは適宜の角度で配設される鉄骨１２の余部の端部を切断するものであり、取付ロッド２５と取付板２６との間にフランジ４ａを挟持してから、取付ボルト２７を螺入してフランジ４ａを押圧することで、鉄骨１２に取付部１４をシッカリと仮固定する。
【００３２】
更に、駆動モータ２１を駆動して回転カッター２４を回転させ、基板２０を鉄骨１２の方向に手で押圧することで、図４から図６に示すように、鉄骨１２の端部を簡単にかつ安全に切断することができるのである。なお、図５及び図６中の符号３４は、回転カッター２４で切断された鉄骨１２の切断部位を示す。
【符号の説明】
【００３３】
１    切断機
２    フック
３    本体フレーム
４    鉄骨
４ａ  フランジ
５    クランプ
６    スライドフレーム
７    走行レール
８    切断用バーナー
１１  切断機
１２  鉄骨
１３  フランジ
１３ａ  縁部
１４  取付部
１５  支柱
１６  支持プレート
１６ａ  端部
１７  移動用レール
１７ａ  先端部
１８  枠部
１９  ガイド部
２０  基板
２０ａ  側部
２１  駆動モータ
２２  駆動ローラ
２３  従動ローラ
２４  回転カッター
２５  取付ロッド
２６  取付板
２７  取付ボルト
２８  側板
２９  ボルト
３０  ボルト
３１  ボルト
３２  ストッパー
３３  開口部
３４  切断部位
【図１】
0005865042.tif 000002
【図２】
0005865042.tif 000003
【図３】
0005865042.tif 000004
【図４】
0005865042.tif 000005
【図５】
0005865042.tif 000006
【図６】
0005865042.tif 000007
【図７】
0005865042.tif 000008